【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
脂肪吸引のための外科手術装置であって、
制御可能な電力レベルのマイクロ波放射を出力するよう構成されたマイクロ波エネルギ源と、
生体組織の処置領域に挿入するためのプローブとを備え、前記プローブは、
出力されたマイクロ波放射を受信するよう接続され、マイクロ波放射場を外向きに放出してマイクロ波エネルギを前記処置領域に送出するよう構成されたアンテナと、
前記処置領域から液化された脂肪を運び出すための導管とを含み、
前記外科手術装置はさらに、
前記導管に接続された吸引ポンプと、
前記プローブへ送出される順方向マイクロ波電力を検出するように構成された検出器と、
マイクロ波放射の制御可能な電力レベルを調節するためのコントローラとを備え、
前記検出器は、前記処置領域から反射されたマイクロ波電力を検出するように構成され、
前記コントローラは、検出された順方向電力および反射されたマイクロ波電力に基づいて、検出された反射マイクロ波電力の変化に基づく複数の予め定められたエネルギ送出プロファイルから、１つのエネルギ送出プロファイルを選択するように構成され、
前記外科手術装置はさらに、
前記コントローラによって制御され、選択されたエネルギ送出プロファイルに従って、前記マイクロ波エネルギ源からのマイクロ波放射の振幅を変化させるための可変減衰器と、
前記コントローラによって制御され、前記マイクロ波エネルギ源からのマイクロ波放射を変調して、選択されたエネルギ送出プロファイルに従って、パルス波動作または連続波動作を可能とするスイッチとを備え、
前記複数の予め定められたエネルギ送出プロファイルは、放出されたマイクロ波放射場が、脂肪に放出された場合の第１の構成と、血液に放出された場合の第２の構成とを自動的に採用するよう選択され、前記第１の構成によって送出されるマイクロ波エネルギは脂肪を液化するためのものであり、前記第２の構成によって送出されるマイクロ波エネルギは血液を凝固させるためのものであるように、マイクロ波放射の周波数および制御可能な電力レベルが選択されるエネルギプロファイルを含む、外科手術装置。
【請求項２】
マイクロ波放射の周波数および制御可能な電力レベルは双方とも、第１および第２の構成において同じである、請求項１に記載の外科手術装置。
【請求項３】
前記第１および第２の構成はそれぞれ、脂肪および血液の温度上昇を引き起こすよう構成されており、前記第２の構成によって引き起こされた血液の温度上昇は、前記第１の構成によって引き起こされた脂肪の温度上昇よりも１桁大きい、請求項１に記載の外科手術装置。
【請求項４】
マイクロ波放射の周波数は５ＧＨｚ以上である、請求項１に記載の外科手術装置。
【請求項５】
前記複数の予め定められたエネルギ送出プロファイルは、制御可能な電力レベルのマイクロ波放射は、放出されたマイクロ波放射場が、コラーゲンに放出された場合に第３の構成を採用するよう選択されるエネルギ送出プロファイルを含み、前記第３の構成はコラーゲンを引き締めるためのものである、請求項１に記載の外科手術装置。
【請求項６】
前記マイクロ波エネルギ源、前記プローブ、および前記検出器間に接続されたサーキュレータを含み、前記マイクロ波エネルギ源からのマイクロ波エネルギ用の順方向経路は前記サーキュレータの第１のポートから第２のポートへと通っており、前記プローブからのマイクロ波エネルギ用の反射経路は前記サーキュレータの前記第２のポートから第３のポートへと通っており、前記検出器は、前記サーキュレータの前記第３のポートから出力された電力を結合するよう接続された第１の方向性結合器を含む、請求項１に記載の外科手術装置。
【請求項７】
前記検出器は、前記サーキュレータの前記第１のポートに入力された電力を結合するよう接続された第２の方向性結合器を含む、請求項６に記載の外科手術装置。
【請求項８】
順方向経路と反射経路との間の絶縁を増大させるために、前記第２の方向性結合器と前記サーキュレータとの間に１つ以上の追加のサーキュレータが接続されている、請求項７に記載の外科手術装置。
【請求項９】
マイクロ波エネルギの周波数は調節可能である、請求項１に記載の外科手術装置。
【請求項１０】
前記導管は前記アンテナと一体化されている、請求項１に記載の外科手術装置。
【請求項１１】
前記アンテナは、誘電および／または磁気装填材料で充填された中空の外側導体を含む単一の導体導波路構造を備え、
液化された脂肪が前記装填材料の全部または一部を構成するように、前記導管が前記導波路構造と一体化されている、請求項１に記載の外科手術装置。
【請求項１２】
前記アンテナは、内側導体と外側導体とを有する同軸構造を備え、前記導管は、内側導体と外側導体との間に空洞を含む、請求項１に記載の外科手術装置。
【請求項１３】
前記アンテナは、誘電材料によって外側導体から隔てられた内側導体を備える同軸供給構造と、前記プローブの遠位端で同軸供給構造を終わらせるエアリアルとを含み、前記導管は、同軸供給構造の内側導体における中空管を含む、請求項１に記載の外科手術装置。
【請求項１４】
前記エアリアルは全方向放射器である、請求項１３に記載の外科手術装置。
【請求項１５】
前記アンテナのインピーダンスが、前記アンテナの遠位端で遭遇する脂肪のインピーダンスと整合するよう調節され得るように、前記マイクロ波エネルギ源と前記アンテナとの間に挿入された、静的な同軸インピーダンス変成器を含む、請求項１に記載の外科手術装置。
【手続補正２】
【補正対象書類名】明細書
【補正対象項目名】０００３
【補正方法】変更
【補正の内容】
【０００３】
従来の脂肪吸引手順では、脂肪の吸引しやすさを高めるために、湿潤性溶液または皮下湿潤が使用される。皮下湿潤物の成分は、生理食塩水または乳酸化リンゲル液のベース流体を含む。この溶液にエピネフリンが添加されることが多く、リドカインおよび／またはブピバカインも鎮痛用に使用される場合がある。時折、感染予防用にゲンタマイシンが添加され、脂肪分解を助けるためにヒアルロニダーゼが添加される。伝統的な態様で脂肪吸引手順を実行する場合、リドカインの毒性を避ける必要がある。
【手続補正３】
【補正対象書類名】明細書
【補正対象項目名】０００４
【補正方法】変更
【補正の内容】
【０００４】
浸透の順序は通常、全体的な流体および薬理学的負荷を最小限に抑えるよう、注入が概して処置される身体区域ごとに順次行なわれるようになっている。エピネフリンが最大の血管収縮作用を有することができるようにするために、吸引の前に１０〜２０分の待ち時間を有することは、普通である。このプロセスは、全体的な手順を不必要に時間のかかるものとするおそれがある。
【手続補正４】
【補正対象書類名】明細書
【補正対象項目名】００８１
【補正方法】変更
【補正の内容】
【００８１】
使用時、検出器１２０によって生成された信号から得られた測定値は、組織、たとえば脂肪、血液、コラーゲンなどに送出されている電力の量を示している。送出電力の変化は、プローブ１０４の遠位端での組織の種類の変化を示す場合がある。コントローラ１１４は、測定値に基づいてエネルギ送出プロファイルを選択してもよい。異なる種類のエネルギプロファイルを、図７を参照して以下に説明する。
【手続補正５】
【補正対象書類名】明細書
【補正対象項目名】００９７
【補正方法】変更
【補正の内容】
【００９７】
図３Ａは、その近位端のコネクタ２０４と、その遠位端の丸みのある先端２０６とを有する、細長いペン状の本体２０２を備えるプローブ２００を示す。コネクタ２０４は、図２に示す可撓性の伝送ケーブル１４２に接続される。本体２０２は一体化されたアンテナを有し、それは、内側導体２０６と、外側導体２０７と、それらの間の誘電材料２０８とを含む同軸供給構造を備える。供給構造は、丸みを帯びた先端にあるエアリアル２０９で終わっている。エアリアル２０９は、マイクロ波場を放射するよう構成されている。